【手続補正書】
【提出日】平成24年10月25日(2012.10.25)
【手続補正１】
【補正対象書類名】明細書
【補正対象項目名】０００９
【補正方法】変更
【補正の内容】
【０００９】
請求項３に記載の発明は、前記請求項１または２に記載の板状部品の接合方法において、前記第２部品準備工程で、第１周縁部に枠形状の突出層が形成された前記第２の板状部品を準備し、前記接合部材準備工程で、第２周縁部が前記突出層の少なくとも内周側の縁部と重なる形状に形成され、且つ前記第２周縁部に、前記突出層と重なる部分の略全域にわたって前記応力緩和部が形成されたシート状接合部材を準備することを特徴とする。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】変更
【補正の内容】
【００１７】
請求項６に記載の発明は、前記請求項５に記載の板状部品の接合方法において、前記接合部材準備工程で、前記周縁部に、その外周縁から前記突出層と重なる部分の略全幅にわたる形状の複数の切欠部を所定のピッチで形成した応力緩和部が形成されたシート状接合部材を準備することを特徴とする。
【手続補正８】
【補正対象書類名】明細書
【補正対象項目名】００１８
【補正方法】変更
【補正の内容】
【００１８】
請求項７に記載の発明は、前記請求項５に記載の板状部品の接合方法において、前記接合部材準備工程で、前記周縁部に、その外周縁を前記突出層と重なる部分の略全幅にわたる振幅をもった波形状に形成した応力緩和部が形成されたシート状接合部材を準備することを特徴とする。
【手続補正９】
【補正対象書類名】明細書
【補正対象項目名】００１９
【補正方法】変更
【補正の内容】
【００１９】
請求項８に記載の発明は、前記請求項５に記載の板状部品の接合方法において、前記接合部材準備工程で、前記周縁部の前記突出層と重なる部分に、複数の貫通孔を所定のピッチで設けた応力緩和部が形成されたシート状接合部材を準備することを特徴とする。
【手続補正１０】
【補正対象書類名】明細書
【補正対象項目名】００２０
【補正方法】変更
【補正の内容】
【００２０】
請求項９に記載の発明は、第１の板状部品と、前記第１の板状部品に対する貼付け面の所定部分に突出層が形成された第２の板状部品とを貼合わせるためのシート状接合部材であって、前記第１の板状部品と前記第２の板状部品との間に前記突出層の一部と重なった状態で挟持される平面形状に形成され、前記突出層と重なる部分に、その重なり部を部分的に欠落させて前記突出層との接触面積を小さくした応力緩和部が形成されたシート部材からなることを特徴とする。
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】特許請求の範囲
【補正対象項目名】全文
【補正方法】変更
【補正の内容】
【特許請求の範囲】
【請求項１】
第１の板状部品と、前記第１の板状部品に対する貼付け面の所定部分に突出層が形成された第２の板状部品とをシート状接合部材により貼合わせて接合する方法であって、
前記第１の板状部品を準備する第１部品準備工程と、
前記突出層が形成された前記第２の板状部品を準備する第２部品準備工程と、
前記第１の板状部品と前記第２の板状部品との間に前記突出層の一部と重なった状態で挟持される形状に形成され、且つ前記突出層と重なる部分に、その重なり部を部分的に欠落させて前記突出層との接触面積を小さくした応力緩和部が形成されたシート状接合部材を準備する接合部材準備工程と、
前記第２の板状部品に、前記シート状接合部材を、前記突出層に前記応力緩和部が重なるように位置決めして貼付ける接合部材貼付け工程と、
前記第１の板状部品と前記第２の板状部品とを前記シート状接合部材を介して重ねて加圧し、前記第１の板状部品と前記第２の板状部品とを前記シート状接合部材により貼合わせる部品貼合わせ工程と、
を含むことを特徴とする板状部品の接合方法。
【請求項２】
第１の板状部品と、前記第１の板状部品に対する貼付け面の所定部分に突出層が形成された第２の板状部品とをシート状接合部材により貼合わせて接合する方法であって、
前記第１の板状部品を準備する第１部品準備工程と、
前記突出層が形成された前記第２の板状部品を準備する第２部品準備工程と、
前記第１の板状部品と前記第２の板状部品との間に前記突出層の一部と重なった状態で挟持される形状に形成され、且つ前記突出層と重なる部分に、その重なり部を部分的に欠落させて前記突出層との接触面積を小さくした応力緩和部が形成されたシート状接合部材を準備する接合部材準備工程と、
前記第１の板状部品に前記シート状接合部材を貼付ける接合部材貼付け工程と、
前記第１の板状部品と前記第２の板状部品とを、前記突出層に前記応力緩和部が重なるように位置決めして、前記シート状接合部材を介して重ねて加圧し、前記第１の板状部品と前記第２の板状部品とを前記シート状接合部材により貼合わせる部品貼合わせ工程と、
を含むことを特徴とする板状部品の接合方法。
【請求項３】
前記第２部品準備工程で、第１周縁部に枠形状の突出層が形成された前記第２の板状部品を準備し、前記接合部材準備工程で、第２周縁部が前記突出層の少なくとも内周側の縁部と重なる形状に形成され、且つ前記第２周縁部に、前記突出層と重なる部分の略全域にわたって前記応力緩和部が形成されたシート状接合部材を準備することを特徴とする請求項１または２に記載の板状部品の接合方法。
【請求項４】
前記部品貼合わせ工程を、真空圧下で行うことを特徴とする請求項１から３の何れかに記載の板状部品の接合方法。
【請求項５】
前記部品貼合わせ工程後に、前記第１の板状部品と前記第２の板状部品とに対して熱と圧力とを一定時間付与するオートクレーブを行うオートクレーブ工程をさらに含むことを特徴とする請求項１から４の何れかに記載の板状部品の接合方法。
【請求項６】
前記接合部材準備工程で、前記第２周縁部に、その外周縁から前記突出層と重なる部分の略全幅にわたる形状の複数の切欠部を所定のピッチで形成した応力緩和部が形成されたシート状接合部材を準備することを特徴とする請求項５に記載の板状部品の接合方法。
【請求項７】
前記接合部材準備工程で、前記第２周縁部に、その外周縁を前記突出層と重なる部分の略全幅にわたる振幅をもった波形状に形成した応力緩和部が形成されたシート状接合部材を準備することを特徴とする請求項５に記載の板状部品の接合方法。
【請求項８】
前記接合部材準備工程で、前記第２周縁部の前記突出層と重なる部分に、複数の貫通孔を所定のピッチで設けた応力緩和部が形成されたシート状接合部材を準備することを特徴とする請求項５に記載の板状部品の接合方法。
【請求項９】
第１の板状部品と、前記第１の板状部品に対する貼付け面の所定部分に突出層が形成された第２の板状部品とを貼合わせるためのシート状接合部材であって、
前記第１の板状部品と前記第２の板状部品との間に前記突出層の一部と重なった状態で挟持される平面形状に形成され、前記突出層と重なる部分に、その重なり部を部分的に欠落させて前記突出層との接触面積を小さくした応力緩和部が形成されたシート部材からなることを特徴とするシート状接合部材。